(57)【要約】【課題】扉の開閉を検知するについて部品数が少なく且つ組み込み工数も低減し、さらに動作ストロークの問題も回避する。【解決手段】本実施形態の冷蔵庫は、冷蔵庫本体と、冷蔵庫本体の内部を開閉する扉と、前記扉の開閉を検知する扉開閉検知装置とを備え、前記扉において前記冷蔵庫本体と対向する本体対向面部と、前記冷蔵庫本体において前記扉と対向する扉対向面部とのうち、一方の面部の少なくとも一部が導電材で構成され、他方の面部において前記導電材と対向する部分に、静電センサからなる扉開閉検知装置を設けた。【選択図】図４
2015025596.tif 000002
【特許請求の範囲】
【請求項１】
冷蔵庫本体と、冷蔵庫本体の内部を開閉する扉と、前記扉の開閉を検知する扉開閉検知装置とを備え、
前記扉において前記冷蔵庫本体と対向する本体対向面部と、前記冷蔵庫本体において前記扉と対向する扉対向面部とのうち、一方の面部の少なくとも一部が導電材で構成され、他方の面部において前記導電材と対向する部分に、静電センサからなる扉開閉検知装置を設けた冷蔵庫。
【請求項２】
前記扉において前記冷蔵庫本体と対向する本体対向面部の少なくとも一部が前記導電材で構成されている請求項１記載の冷蔵庫。
【請求項３】
前記冷蔵庫本体において前記扉と対向する扉対向面部の少なくとも一部が前記導電材で構成されている請求項１記載の冷蔵庫。
【請求項４】
前記扉は回転式扉である請求項１から３のいずれか一項記載の冷蔵庫。
【請求項５】
前記扉は引き出し式扉である請求項１から３のいずれか一項記載の冷蔵庫。
【発明の詳細な説明】
【技術分野】
【０００１】
本発明の実施形態は、冷蔵庫に関する。
【背景技術】
【０００２】
冷蔵庫には、貯蔵室内を照明する庫内灯や庫内空気を循環させるファンなどを冷蔵庫扉の開閉に基づき制御するため、冷蔵庫扉の開閉を検知する扉開閉検知装置を設けたものがある。この扉開閉検知装置は、ホールＩＣと、磁石と、磁性板とを備え、冷蔵庫本体と冷蔵庫扉の一方にホールＩＣを設け、他方にホールＩＣと対向するように磁石を設け、この磁石の近傍位置に磁性板を設けた構成としている。そして、冷蔵庫扉が閉められたときにはホールＩＣが磁石の磁束を磁性板を介して検知し、冷蔵庫扉が開けられたとき前記磁束の弱化ないし消失を検知し、もって冷蔵庫扉の開閉を検知する。
又、扉開閉検知装置として押しボタンスイッチなどの扉検知スイッチを用いる構成もある。
【先行技術文献】
【特許文献】
【０００３】
【特許文献１】特開２００９−１２１７４２号公報
【発明の概要】
【発明が解決しようとする課題】
【０００４】
上記前者構成では、検知する側としてホールＩＣを備え、検知される側（被検体）として磁石と磁性板とを備え、これらを冷蔵庫本体と冷蔵庫扉に分けて配設しなければならず、部品数が多いと共に、組み込み工数も多いという問題がある。
又、後者構成では、押しボタンの動作ストロークや設置スペースの問題がある。
そこで、扉の開閉を検知するについて部品数が少なく且つ組み込み工数も低減でき、さらに動作ストロークの問題も回避できる冷蔵庫を提供する。
【課題を解決するための手段】
【０００５】
本実施形態の冷蔵庫は、冷蔵庫本体と、冷蔵庫本体の内部を開閉する扉と、前記扉の開閉を検知する扉開閉検知装置とを備え、前記扉において前記冷蔵庫本体と対向する本体対向面部と、前記冷蔵庫本体において前記扉と対向する扉対向面部とのうち、一方の面部の少なくとも一部が導電材で構成され、他方の面部において前記導電材と対向する部分に、静電センサからなる扉開閉検知装置を設けた。
【図面の簡単な説明】
【０００６】
【図１】第１実施形態による冷蔵庫を示す斜視図
【図２】開扉状態における冷蔵庫の斜視図
【図３】冷蔵庫の一部破断の側面図
【図４】扉開閉検知装置２２Ａ部分の縦断側面図
【図５】図４のＡ−Ａ矢視の断面図
【図６】扉開閉検知装置２２Ｃ部分の縦断側面図
【図７】扉開閉検知装置２２Ａの概略構成図
【図８】第２実施形態を示す図６相当図
【図９】第３実施形態を示す図７相当図
【発明を実施するための形態】
【０００７】
以下、第１実施形態について、図１から図７を参照しながら説明する。
図１ないし図３において、本実施形態に係る冷蔵庫１の冷蔵庫本体２は、前面を開口させた縦長矩形箱状をなしている。この冷蔵庫本体２は、鋼板製の外箱３（図３及び図４参照）と、この外箱３の内部に離間して収容された合成樹脂製の内箱４（図３及び図４参照）との間に、断熱材２ａを設けた構成とされている。図４に示すように、外箱３は、冷蔵庫本体２の上壁部、左右壁部及び下壁部の各前面部まで廻り込んだ形態となっている。なお、この外箱３における廻り込み部分に符号３ａを付している。又、詳しい説明は省略するが、この冷蔵庫本体２には、冷凍サイクル（図示せず）などが組込まれている。
【０００８】
冷蔵庫本体２は内部が複数に区画されて、前面に開口部を有する複数の貯蔵室を備えて構成される。具体的には、冷蔵庫本体２は、最上部に位置して容積が最も大きい冷蔵室５と、この冷蔵室５の下方に設けられた野菜室６と、野菜室６の下方の左側に設けられた製氷室７と、製氷室７の右側に設けられた小冷凍室８と、これら製氷室７及び小冷凍室８の下方に設けられた冷凍室９とを備えて構成されている。
【０００９】
図３及び図４に示すように、前記冷蔵室５前部下部と野菜室６前部上部との間には冷蔵庫本体２の一部を構成する横梁部１０が設けられており、この横梁部１０の後側に仕切板１１が設けられている。
又、野菜室６前部下部と、製氷室７及び小冷凍室８の前部上部との間には冷蔵庫本体２の一部を構成する横梁部１２が設けられており、この横梁部１２の後側に断熱仕切壁１３が形成されている。
【００１０】
又、製氷室７及び小冷凍室８の前部下部と、冷凍室９前部上部との間には冷蔵庫本体２の一部を構成する横梁部１４が設けられている。又、製氷室７前部と小冷凍室８前部との間には冷蔵庫本体２の一部を構成する縦梁部２１（図３参照）が設けられている。
前記横梁部１０の特に前面部の構成について説明する。図６に示すように、横梁部１０の外郭１０ｅは上下部がプラスチックの板部材１０ａ、１０ｂで構成され、前面が鋼板製の前板部１０ｃで構成されている。この前板部１０ｃは前記板部材１０ａ、１０ｂの前端同士を連結している。この外殻１０ｅ内部には断熱材１０ｄを設けている。
【００１１】
なお、他の横梁部１２、１４及び縦梁部２１における前面部も同様に構成されている。
各貯蔵室の前面には、これら貯蔵室の開口部を開閉させるように、断熱扉（扉）が設けられている。具体的には、冷蔵室５の前面には、回転式（観音開式）の冷蔵室左扉１５及び冷蔵室右扉１６が設けられている。これら冷蔵室左扉１５及び冷蔵室右扉１６は、それぞれ図１に示すヒンジ１５ｈ、１６ｈにより左右方向に回動可能に枢支されている。なお、ヒンジ１５ｈは上下一対設けられており、ヒンジ１６ｈも上下一対設けられている。このヒンジ１５ｈ、１６ｈは中空軸により構成されている。
【００１２】
又、野菜室６、製氷室７、小冷凍室８及び冷凍室９の前面には、それぞれ引き出し式の野菜室扉１７、製氷室扉１８、小冷凍室扉１９、冷凍室扉２０が設けられている。なお、冷蔵庫本体２の下部後部に設けられた図示しない圧縮機により前記冷凍サイクルが駆動され、これにより冷却された冷気が各貯蔵室に送られて、各貯蔵室が冷却される。
【００１３】
この冷蔵室左扉１５の概略構成について説明する。この冷蔵室左扉１５は、図４及び図５に示すように、鋼板からなる扉外板１５ａとプラスチックからなる扉内板１５ｂとプラスチックからなる上部キャップ１５ｃとから外殻１５ｄを構成しており、内部に断熱材１５ｅを備えている。なお、上記扉外板１５ａと扉内板１５ｂとは上辺部以外では適宜接合されており、上辺部では扉外板１５ａと扉内板１５ｂとが離間していて、この部分を前記上部キャップ１５ｃで閉塞している。
なお、冷蔵室右扉１６は冷蔵室左扉１５と大きさ・形状が異なるが、基本的な材質構造は当該冷蔵室左扉１５と同様の構成である。この冷蔵室右扉１６には、冷蔵室左扉１５と同一材質部分には同一の添え字を付している。
【００１４】
又、野菜室扉１７も冷蔵室左扉１５とは大きさ・形状は異なるが、基本的な材質構造は冷蔵室左扉１５と同様の構成である。すなわち、図６に示すように鋼板からなる扉外板１７ａとプラスチックからなる扉内板１７ｂとプラスチックからなる上部キャップ１７ｃとから外殻１７ｄを構成しており、内部に断熱材１７ｅを備えている。なお、上記扉外板１７ａと扉内板１７ｂとは上辺部以外では適宜接合されており、上辺部では扉外板１７ａと扉内板１７ｂとが離間していて、この部分を前記上部キャップ１７ｃで閉塞している。なお、この上部キャップ１７ｃには手掛け部１７ｆが設けられている。
【００１５】
又、製氷室扉１８、小冷凍室扉１９、冷凍室扉２０も上記野菜室扉１７とは大きさ・形状は異なるが、基本的な材質構造は野菜室扉１７と同様の構成である。各扉１８、１９、２０について、野菜室扉１７と同一材質部分には同一の添え字を付している。
なお、野菜室扉１７の裏側には図３及び図４に示すように野菜収容容器１７ｙが設けられ、製氷室扉１８の裏側には製氷容器１８ｙが設けられ、小冷凍室扉１９の裏側には小冷凍室用容器１９ｙが設けられ、冷凍室扉２０の裏側には２段式冷凍室用容器２０ｙが設けられている。
【００１６】
ここで、冷蔵庫本体２において冷蔵室左扉１５及び冷蔵室右扉１６とこれらの閉扉時に対向する扉対向面部は、冷蔵庫本体２の上壁部前面部と、横梁部１０前面部と、冷蔵庫本体２の左、右壁部前面部における領域２ｕａ、２ｕｂ部分（図１参照）である。
又、冷蔵室左扉１５において冷蔵庫本体２と対向する本体対向面部は、冷蔵室左扉１５の裏面周囲のうち左辺部、上辺部、下辺部である。又、冷蔵室右扉１６において冷蔵庫本体２と対向する本体対向面部は、冷蔵室右扉１６の裏面周囲のうち右辺部、上辺部、下辺部である。
【００１７】
又、冷蔵庫本体２において野菜室扉１７と対向する扉対向面部は、横梁部１０の前面部と、横梁部１２の前面部と、冷蔵庫本体２の左、右壁部前面部における領域２ｙａ、２ｙｂ部分（図１参照）である。野菜室扉１７において冷蔵庫本体２と対向する本体対向面部は、裏面周囲である。
又、冷蔵庫本体２において製氷室扉１８と対向する扉対向面部は、前記横梁部１２前面部左側（縦梁部２１より左側）と、横梁部１４前面部左側（縦梁部２１より左側）と、縦梁部２１前面部と、冷蔵庫本体２の左壁部前面部のうち領域２ｒａ部分（図１参照）である。又製氷室扉１８において冷蔵庫本体２と対向する本体対向面部は、製氷室扉１８の裏面周囲部である。
【００１８】
又、冷蔵庫本体２において小冷凍室扉１９と対向する扉対向面部は、前記横梁部１２前面部右側（縦梁部２１より右側）と、横梁部１４前面部右側（縦梁部２１より右側）と、縦梁部２１前面部と、冷蔵庫本体２の右壁部前面部のうち領域２ｒｂ部分である。
小冷凍室扉１９において冷蔵庫本体２と対向する本体対向面部は、当該小冷凍室扉１９の裏面周囲である。
又、冷蔵庫本体２において冷凍室扉２０と対向する扉対向面部は、冷蔵庫本体２の下壁部前面部と、横梁部１４前面部と、冷蔵庫本体２の左、右壁部前面部における領域２ｆａ、２ｆｂ部分（図１参照）である。
【００１９】
冷凍室扉２０において冷蔵庫本体２と対向する本体対向面部は、当該冷凍室扉２０の裏面周囲である。
前記冷蔵室左扉１５の裏面周囲には、図３、図４に示すように、端より若干離してガスケット１５ｇを設けている。冷蔵室右扉１６の裏面周囲にも同様にガスケット１６ｇを設けている。冷蔵室左扉１５及び冷蔵室右扉１６が冷蔵室５を閉塞した状態では、ガスケット１５ｇ、１６ｇの上辺部、下辺部、ガスケット１５ｇの左辺部、ガスケット１６ｇの右辺部が、冷蔵庫本体２における当該冷蔵室左扉１５及び冷蔵室右扉１６対応の扉対向面部に当接する。なお、閉扉状態ではガスケット１５ｇの右辺部とガスケット１６ｇの左辺部とが当接する。
【００２０】
野菜室扉１７の裏面周囲には、端より若干離してガスケット１７ｇ（図３、図６参照）を設けている。野菜室扉１７が野菜室６を閉塞した状態では、ガスケット１７ｇは、冷蔵庫本体２における当該野菜室扉１７対応の扉対向面部に当接する。
製氷室扉１８の裏面周囲には、端より若干離してガスケット１８ｇ（図３参照）を設けている。製氷室扉１８が製氷室７を閉塞した状態では、ガスケット１８ｇは、冷蔵庫本体２における当該製氷室扉１８対応の扉対向面部に当接する。
【００２１】
小冷凍室扉１９の裏面周囲には、端より若干離してガスケット（図示せず）を設けている。このガスケットは、小冷凍室扉１９が小冷凍室８を閉塞した状態では、冷蔵庫本体２における当該小冷凍室扉１９対応の扉対向面部に当接する。
冷凍室扉２０の裏面周囲には、端より若干離してガスケット２０ｇ（図３参照）を設けている。冷凍室扉２０が冷凍室９を閉塞した状態では、ガスケット２０ｇは、冷蔵庫本体２における当該冷凍室扉２０対応の扉対向面部に当接する。
【００２２】
さて、各扉１５〜２０には、扉開閉検知装置２２Ａ〜２２Ｆが夫々設けられている。扉開閉検知装置２２Ａは、静電センサからなり、回転式扉である冷蔵室左扉１５の開閉を検知する。この扉開閉検知装置２２Ａは、図４及び図５に示すように、冷蔵室左扉１５において冷蔵庫本体２と対向する本体対向面部と、冷蔵庫本体２において冷蔵室左扉１５と対向する扉対向面部とのうち、導電材である廻り込み部３ａが存在する面部である例えば冷蔵庫本体２の上壁部前面部（一方の面部）に対して、他方の面部である冷蔵室左扉１５の上部キャップ１５ｃの裏面に、前記廻り込み部３ａに対向して設けられている。
【００２３】
すなわち、この冷蔵庫１において導電材として機能する部材は、主として鋼板であり、この場合、鋼板製の外箱３が導電材に相当し、この外箱３の上辺部の廻り込み部３ａの反対側には、扉開閉検知装置２２Ａの取付に好適する上部キャップ１５ｃが存在する。つまり、扉開閉検知装置２２Ａは静電センサから構成されているため、これの配置部としては、非導電材であるプラスチック製の上部キャップ１５ｃが好適する。
そして、この上部キャップ１５ｃの裏面においてガスケット１５ｇの外側部分に内部を配置部２３ａとした膨出部２３を形成している。この膨出部２３の先端面は、閉扉時において前記廻り込み部３ａに接近する。
【００２４】
前記配置部２３ａに前記扉開閉検知装置２２Ａを配設している。この扉開閉検知装置２２Ａは、図７に示すように、電極基板２２ａに静電容量変化検出用ＩＣ２２ｂ及び検知電極２２ｃを実装して構成されている。この扉開閉検知装置２２Ａ用の電源線や信号線は前記ヒンジ１５ｈ、１６ｈ内を通して冷蔵庫本体２側の制御部と接続されている。この扉開閉検知装置２２Ａは自己容量方式の静電センサであり、これは検知電極２２ｃと周囲の導電材との間の静電容量を検出する。すなわち、検知電極２２ｃに導電材である外箱３の廻り込み部３ａが接近すれば静電容量が増加し、もって冷蔵室左扉１５が冷蔵室５の左側開口を閉塞したことを検知する。逆に冷蔵室左扉１５の開放によって、外箱３の廻り込み部３ａに対して検知電極２２ｃ（扉開閉検知装置２２Ａ）が離れると、上記静電容量が減少することで冷蔵室左扉１５の開放を検知する。
【００２５】
なお、回転式扉である冷蔵室右扉１６の開閉を検知する扉開閉検知装置２２Ｂも上記扉開閉検知装置２２Ａと同様の構成である。
次に扉開閉検知装置２２Ｃについて説明する。扉開閉検知装置２２Ｃは、前記扉開閉検知装置２２Ａと同様、自己容量方式の静電センサからなり、引き出し式扉である野菜室扉１７の開閉を検知する。この扉開閉検知装置２２Ｃは、図６に示すように、野菜室扉１７において冷蔵庫本体２と対向する本体対向面部と、冷蔵庫本体２において野菜室扉１７と対向する扉対向面部とのうち、導電材である鋼板からなる前板部１０ｃが存在する面部である横梁部１０前面（一方の面部）に対して、他方の面部である野菜室扉１７の上部キャップ１７ｃの裏面に設けられている。具体的には、この上部キャップ１７ｃにおいてガスケット１７ｇの外側部分に内部を配置部２４ａとした膨出部２４を形成しており、この配置部２４ａに前記扉開閉検知装置２２Ｃを設けている。なお、この扉開閉検知装置２２Ｃの電源線や信号線はフレキシブルケーブルとして構成されていて、適宜冷蔵庫本体２側の制御部と接続されている。
【００２６】
そして、この扉開閉検知装置２２Ｃは、閉扉時において前記前板部１０ｃに接近する。この膨出部２４及び扉開閉検知装置２２Ｃの構成は前記膨出部２３及び扉開閉検知装置２２Ａと同じである。野菜室扉１７の閉塞時には、検知電極２２ｃが導電材である前板部１０ｃに接近して静電容量が増加し、もって野菜室扉１７が野菜室６を閉塞したことを検知する。逆に野菜室扉１７の開放によって、前板部１０ｃに対して検知電極２２ｃ（扉開閉検知装置２２Ｃ）が離れると、上記静電容量が減少することで野菜室扉１７の開放を検知する。
【００２７】
なお、他の引き出し式扉に設けられた他の扉開閉検知装置２２Ｄ〜２２Ｆも上記扉開閉検知装置２２Ｃと同様に、構成されている。
上述した実施形態においては、冷蔵室左扉１５において冷蔵庫本体２と対向する本体対向面部と、冷蔵庫本体２において冷蔵室左扉１５と対向する扉対向面部とのうち、一方の面部である冷蔵室左扉１５の本体対向面部の少なくとも一部が導電材で構成され、他方の面部である冷蔵庫本体２において導電材と対向する部分に、静電センサからなる扉開閉検知装置２２Ａを設けた。又、各扉１６〜２０についても、扉開閉検知装置２２Ｂ〜２２Ｆを同様に設けた。
【００２８】
これによれば、冷蔵庫１が本来的に備えた導電材を、扉開閉検知装置２２Ａ〜２２Ｆの被検体として利用するから、扉開閉検知装置２２Ａ〜２２Ｆは、冷蔵庫本体２における扉対向面部と、各扉１５〜２０の本体対向面部とのうち、導電材と対向する側（本実施形態では各扉側）に設ければ良く、相手側には被検体を新規に必要としない。この結果、各扉の開閉を検知するについて部品数が少なく且つ組み込み工数も低減でき、さらに扉検知スイッチの動作ストロークの問題も回避できる。
又、本実施形態では、冷蔵庫本体２において扉と対向する扉対向面部に導電材である外箱３の廻り込み部３ａや前板部１０ｃが設けられているから、この冷蔵庫本体２側の外箱３の廻り込み部３ａや前板部１０ｃを被検体として利用できる。
【００２９】
又、扉が冷蔵室左扉１５や冷蔵室右扉１６のように回転式扉である場合には、ヒンジ１５ｈ、１６ｈを中空軸で構成することにより、このヒンジ１５ｈ、１６ｈの内部を通して電源線や信号線を挿通できる。従って、本実施形態のように回転式扉である扉１５、１６側に扉開閉検知装置２２Ａ、２２Ｂを設けても、配線構成としてフレキシブル配線構成を採用しなくても良い。
【００３０】
又、本実施形態によれば、扉開閉検知装置２２Ａ〜２２Ｆとして自己容量方式の静電センサから構成したから、検知電極のパターンの設計が容易となる。
又、本実施形態によれば、各扉１５〜２０において各ガスケット１５ｇ〜２０ｇの外側に各扉開閉検知装置２２Ａ〜２２Ｆを配置したから、ガスケット１５ｇ〜２０ｇの配置スペースを阻害することなく各扉開閉検知装置２２Ａ〜２２Ｆを配置できる。
【００３１】
図８は、第２実施形態を示している。この第２実施形態においては、野菜室扉１７において冷蔵庫本体２と対向する本体対向面部に導電材（扉内板１７ｎ）が設けられている。すなわち、野菜室扉１７は、鋼板からなる扉外板１７ｍと鋼板からなる扉内板１７ｎとプラスチックからなる連結部１７ｐとから外殻１７ｑを構成している。前記扉内板１７ｎは、扉上面まで廻り込んでおり、扉上面前部で前記連結部１７ｐを介して前記扉外板１７ｍと連結されている。一方、横梁部１０は前面部がプラスチック製の前板部１０ｍで構成されている。この場合、上板部１０ｎ、下板部１０ｐはプラスチック製でも鋼板製でも良い。
【００３２】
そして扉開閉検知装置２２Ｃは、横梁部１０の前板部１０ｍに設けた収容器３０内に設けられている。この場合、この扉開閉検知装置２２Ｃは当該収容器３０を介して野菜室扉１７の導電材である扉内板１７ｎに対向する。なお、この扉開閉検知装置２２Ｃの電源線及び信号線はこの横梁部１０の内部を通して制御部と接続している。
【００３３】
又、他の横梁部１２、１４及び縦梁部２１も上記横梁部１０と同様に構成され、他の扉１８〜２０も上記野菜室扉１７と同様に構成されている。
このような第２実施形態によれば、各扉１７〜２０において冷蔵庫本体２と対向する本体対向面部が導電材で構成されているから、扉開閉検知装置２２Ｃ〜２２Ｆを夫々冷蔵庫本体２に設けることができる。なお、各扉１７〜２０における本体対向面部の少なくとも一部が導電材で構成されていれば良い。
又、冷蔵室左扉１５及び冷蔵室右扉１６において本体対向面部の少なくとも一部を導電材で構成し、当該導電材と対向する冷蔵庫本体の扉対向面部に扉開閉検知装置を設ける構成としても良い。
【００３４】
図９は第３実施形態を示している。この第３実施形態では、扉開閉検知装置３１を、相互容量方式の静電センサから構成している。この扉開閉検知装置３１は、電極基板３１ａに静電容量変化検出用ＩＣ３１ｂ及び検知電極３１ｃ、３１ｄを実装して構成されている。この扉開閉検知装置３１においては、一方の検知電極３１ｃにパルス電圧を供給し、他方の検知電極３１ｄとの間に電磁界カップリングを形成し、この電磁界カップリング領域に導電材が接近すると当該領域の相互間の静電容量が変化する。この変化をもって、導電材の接近及び離隔つまり扉の閉塞及び開放を検知する。この相互容量方式の扉開閉検知装置３１では、感度の設定幅を広くでき、自由度の高い設計を可能にできる。
【００３５】
なお、自己容量方式の静電センサからなる扉開閉検知装置、相互容量方式の静電センサからなる扉開閉検知装置は、一つの冷蔵庫で、それぞれ、各扉の使用頻度や、回転式、引き出し式などに応じて適宜選択して設けても良い。又、扉開閉検知装置は、複数の扉のうち扉開閉検知を必要とする扉に対応して設けても良い。
【００３６】
以上説明した実施形態の冷蔵庫によれば、扉において冷蔵庫本体と対向する本体対向面部と、前記冷蔵庫本体において前記扉と対向する扉対向面部とのうち、一方の面部の少なくとも一部が導電材で構成され、他方の面部において前記導電材と対向する部分に、静電センサからなる扉開閉検知装置を設けた。これによれば、冷蔵庫が本来的に備えた導電材を、扉開閉検知装置の被検体として利用するから、扉開閉検知装置は、冷蔵庫本体における扉対向面部と、扉の本体対向面部とのうち、導電材と対向する側に設ければ良く、相手側には被検体を新規に必要としない。この結果、扉の開閉を検知するについて部品数が少なく且つ組み込み工数も低減でき、さらに扉検知スイッチにおける動作ストロークの問題も回避できる。
【００３７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変更は、発明の範囲や要旨に含まれるとともに、特許請求の範囲に記載された発明とその均等の範囲に含まれる。
【符号の説明】
【００３８】
図面中、１は実施形態による冷蔵庫、２は冷蔵庫本体、３は外箱（導電材）、３ａは廻り込み部、５は冷蔵室、６は野菜室、７は製氷室、８は小冷凍室、９は冷凍室、１０、１２、１４は横梁部、１０ｃは前板部（導電材）、１５は冷蔵室左扉、１６は冷蔵室右扉、１７は野菜室扉、１７ｎは扉内板（導電材）、１８は製氷室扉、１９は小製氷室扉、２０は冷凍室扉、２１は縦梁部、２２Ａ〜２２Ｆ及び３１は扉開閉検知装置を示す。
【図１】
2015025596.tif 000003
【図２】
2015025596.tif 000004
【図３】
2015025596.tif 000005
【図４】
2015025596.tif 000006
【図５】
2015025596.tif 000007
【図６】
2015025596.tif 000008
【図７】
2015025596.tif 000009
【図８】
2015025596.tif 000010
【図９】
2015025596.tif 000011